(57)【要約】【課題】原稿が表す第１の画像に対して無線で送信された第２の画像を合成した画像を投影できる画像投影装置、画像投影システム及び画像投影プログラムを提供する。【解決手段】原稿が表す第１の画像を光学的に読取る読取手段と、原稿が有する送信部が送信する無線を受信して得た情報から第２の画像を取得する取得手段と、読取手段が読取った第１の画像に、取得手段が取得した第２の画像を合成する合成手段と、合成手段が合成した画像を投影する投影手段とを備える。これによれば、原稿が表す第１の画像に対して、原稿が有する送信部が無線で送信する第２の画像を合成して投影できる。【選択図】図１
2009010780.tif 000002
【特許請求の範囲】
【請求項１】
原稿が表す第１の画像を光学的に読取る読取手段と、
前記原稿の有する送信部が送信する無線を受信して得た情報から第２の画像を取得する取得手段と、
前記読取手段が読取った第１の画像に、前記取得手段が取得した第２の画像を合成する合成手段と、
前記合成手段が合成した画像を投影する投影手段とを備えることを特徴とする画像投影装置。
【請求項２】
前記読取手段の読取った第１の画像が有する空欄を検出する検出手段を更に備え、
前記合成手段は、前記検出手段が検出した空欄に前記第２の画像を合成することを特徴とする請求項１に記載の画像投影装置。
【請求項３】
前記取得手段は、前記原稿の有する送信部が送信する無線を受信して得た情報から、前記第１の画像に前記第２の画像を合成する位置を表す位置情報を取得し、
前記合成手段は、前記取得手段が取得した位置情報が表す位置に前記第２の画像を合成することを特徴とする請求項１に記載の画像投影装置。
【請求項４】
前記原稿の有する送信部が送信する無線を受信して得た暗号化された情報を復号する復号手段を更に備え、
前記取得手段は、前記復号手段が復号した情報から前記第２の画像を取得することを特徴とする請求項１に記載の画像投影装置。
【請求項５】
原稿が表す第１の画像を光学的に読取る読取手段を有する読取装置と、
前記原稿の有する送信部が送信する無線を受信して得た情報から第２の画像を取得する取得手段と、前記読取手段が読取った第１の画像に、前記取得手段が取得した第２の画像を合成する合成手段とを有する合成装置と、
前記合成手段が合成した画像を投影する投影手段を有する投影装置とを備えることを特徴とする画像投影システム。
【請求項６】
原稿が表す第１の画像を光学的に読取る読取手段と、前記原稿の有する送信部が送信する無線を受信して得た情報から第２の画像を取得する取得手段とを有する読取装置と、
前記読取手段が読取った第１の画像に、前記取得手段が取得した第２の画像を合成する合成手段を有する合成装置と、
前記合成手段が合成した画像を投影する投影手段を有する投影装置とを備えることを特徴とする画像投影システム。
【請求項７】
原稿が表す第１の画像を光学的に読取る読取手段と、前記原稿の有する送信部が送信する無線を受信して得た情報から第２の画像を取得する取得手段と、前記読取手段が読取った第１の画像に、前記取得手段が取得した第２の画像を合成する合成手段とを有する読取装置と、
前記合成手段が合成した画像を投影する投影手段を有する投影装置とを備えることを特徴とする画像投影システム。
【請求項８】
原稿が表す第１の画像を光学的に読取る読取手段を有する読取装置と、
前記原稿の有する送信部が送信する無線を受信して得た情報から第２の画像を取得する取得手段と、前記読取手段が読取った第１の画像に、前記取得手段が取得した第２の画像を合成する合成手段と、前記合成手段が合成した画像を投影する投影手段とを有する投影装置とを備えることを特徴とする画像投影システム。
【請求項９】
コンピュータを、
原稿が表す第１の画像を光学的に読取る読取手段と、
前記原稿の有する送信部が送信する無線を受信して得た情報から第２の画像を取得する取得手段と、
前記読取手段が読取った第１の画像に、前記取得手段が取得した第２の画像を合成する合成手段と、
前記合成手段が合成した画像を投影する投影手段として機能させることを特徴とする画像投影プログラム。
【発明の詳細な説明】
【技術分野】
【０００１】
本発明は、画像投影装置、画像投影システム、及び画像投影プログラムに関する。
【背景技術】
【０００２】
従来から、複製を制限しない画像のみを表した原稿用紙等であって、かつ複製を制限する画像と複製を許可する条件とを記憶するＩＣタグを有する原稿用紙等から、原稿用紙等が表す画像を光学的に読取り、かつＩＣタグが記憶する画像と条件とをタグが放つ無線を受信することで取得すると共に、取得した条件を満足する場合に原稿用紙等が表す画像とＩＣタグが記憶する画像とを合成して出力画像を形成する画像形成システムが知られている（例えば、特許文献１）。
【０００３】
また、複製を制限する画像の領域を表す領域データを記憶するＩＣタグを有する原稿用紙等から、原稿用紙等が表す画像を光学的に読取り、かつＩＣタグが記憶する領域データを取得し、原稿用紙等が表す画像から領域データが表す領域を削除した画像を出力する画像出力システムが知られている（例えば、特許文献２）。
【特許文献１】特開２００４‐８６７０９
【特許文献２】特開２００４‐８８５８６
【発明の開示】
【発明が解決しようとする課題】
【０００４】
本発明の目的とするところは、原稿が表す第１の画像に対して無線で送信された第２の画像を合成した画像を投影できる画像投影装置、画像投影システム及び画像投影プログラムを提供することにある。
【課題を解決するための手段】
【０００５】
本発明に係る画像投影装置は、原稿が表す第１の画像を光学的に読取る読取手段と、原稿の有する送信部が送信する無線を受信して得た情報から第２の画像を取得する取得手段と、読取手段が読取った第１の画像に、取得手段が取得した第２の画像を合成する合成手段と、合成手段が合成した画像を投影する投影手段とを備えることを特徴としている。
【０００６】
上記構成において、読取手段の読取った第１の画像が有する空欄を検出する検出手段を更に備え、合成手段は、検出手段が検出した空欄に第２の画像を合成する構成を採用できる。
【０００７】
上記構成において、取得手段は、原稿の有する送信部が送信する無線を受信して得た情報から、第１の画像に第２の画像を合成する位置を表す位置情報を取得し、合成手段は、取得手段が取得した位置情報が表す位置に第２の画像を合成する構成を採用できる。
【０００８】
上記構成において、原稿の有する送信部が送信する無線を受信して得た暗号化された情報を復号する復号手段を更に備え、取得手段は、復号手段が復号した情報から第２の画像を取得する構成を採用できる。
【０００９】
本発明に係る画像投影システムは、原稿が表す第１の画像を光学的に読取る読取手段を有する読取装置と、原稿の有する送信部が送信する無線を受信して得た情報から第２の画像を取得する取得手段と、読取手段が読取った第１の画像に、取得手段が取得した第２の画像を合成する合成手段とを有する合成装置と、合成手段が合成した画像を投影する投影手段を有する投影装置とを備えることを特徴としている。
【００１０】
本発明に係る画像投影システムは、原稿が表す第１の画像を光学的に読取る読取手段と、原稿の有する送信部が送信する無線を受信して得た情報から第２の画像を取得する取得手段と、読取手段が読取った第１の画像に、取得手段が取得した第２の画像を合成する合成手段とを有する読取装置と、合成手段が合成した画像を投影する投影手段を有する投影装置とを備えることを特徴としている。
【００１１】
本発明に係る画像投影システムは、原稿が表す第１の画像を光学的に読取る読取手段を有する読取装置と、原稿の有する送信部が送信する無線を受信して得た情報から第２の画像を取得する取得手段と、読取手段が読取った第１の画像に、取得手段が取得した第２の画像を合成する合成手段と、合成手段が合成した画像を投影する投影手段とを有する投影装置とを備えることを特徴としている。
【００１２】
本発明に係る画像投影プログラムは、コンピュータを、原稿が表す第１の画像を光学的に読取る読取手段と、原稿の有する送信部が送信する無線を受信して得た情報から第２の画像を取得する取得手段と、読取手段が読取った第１の画像に、取得手段が取得した第２の画像を合成する合成手段と、合成手段が合成した画像を投影する投影手段として機能させることを特徴としている。
【発明の効果】
【００１３】
請求項１の構成によれば、原稿が表す第１の画像に対して、原稿の有する送信部が無線で送信する第２の画像を合成して投影できる。
【００１４】
請求項２の構成によれば、原稿が表す第１の画像の空欄に対して第２の画像を合成して投影できる。
【００１５】
請求項３の構成によれば、第１の画像における位置情報が表す位置に第２の画像を合成して投影できる。
【００１６】
請求項４の構成によれば、暗号化して無線送信された第２の画像を復号して第１の画像に合成して投影できる。
【００１７】
請求項５の構成によれば、原稿が表す第１の画像に対して、原稿の有する送信部が無線で送信する第２の画像を合成して投影できる。
【００１８】
請求項６の構成によれば、原稿が表す第１の画像に対して、原稿の有する送信部が無線で送信する第２の画像を合成して投影できる。
【００１９】
請求項７の構成によれば、原稿が表す第１の画像に対して、原稿の有する送信部が無線で送信する第２の画像を合成して投影できる。
【００２０】
請求項８の構成によれば、原稿が表す第１の画像に対して、原稿の有する送信部が無線で送信する第２の画像を合成して投影できる。
【発明を実施するための最良の形態】
【００２１】
以下、本発明の最良の実施形態について、添付図面を参照しつつ説明する。
【実施例１】
【００２２】
図１は本発明に係る画像投影装置の一実施形態を示す構成図である。
画像投影装置１０００は、例えば、ＣＲＴ（Cathode Ray Tube）プロジェクタ、液晶プロジェクタ、ＤＬＰ（Digital Light Processing）方式プロジェクタ、ＬＣＯＳ（Liquid Crystal On Silicon）プロジェクタ、又はＧＬＶ（Grating Light Valve）プロジェクタで構成される。
【００２３】
図１に示す画像投影装置１０００は、無線受信部１０１０、復号部１０２０、取得部１０３０、読取部１０４０、検出部１０５０、合成部１０６０、及び投影部１０７０で構成されている。
【００２４】
復号部１０２０、取得部１０３０、検出部１０５０、及び合成部１０６０が有する各機能は、画像投影装置１０００が実行するソフトウェア制御により実現される。
【００２５】
ここで、図２を参照して、ソフトウェア制御を実行するための画像投影装置１０００のハードウェア構成について説明する。図２は、このソフトウェア制御を実現するための画像投影装置１０００のハードウェアの一構成例を表す図である。
【００２６】
画像投影装置１０００は、例えば、ＣＰＵ（Central Processing Unit）等の演算部１００１、ＥＰＲＯＭ（Erasable Programmable Read-Only Memory）又はＥＥＰＲＯＭ（Electrically Erasable Programmable Read-Only Memory）等の読み出し専用メモリであるＲＯＭ１００２（Read-Only Memory ）、ＤＲＡＭ（Dynamic  RAM）又はＳＲＡＭ（Static  RAM）等の揮発性メモリ及びＮＶＲＡＭ（Non Volatile RAM）等の不揮発性メモリで構成されるＲＡＭ１００３（Random Access Memory）、並びにハードディスク等の外部記憶装置で構成される外部記憶部１００４で構成され、演算部１００１、ＲＯＭ１００２、ＲＡＭ１００３、及び外部記憶部１００４は互いにバス１００５によって接続している。
【００２７】
ソフトウェア制御は、ＲＯＭ１００２又は外部記憶部１００４に格納したプログラムを演算部１００１が読み、読込んだプログラムに従って演算部１００１が演算を行うことにより上記各部の機能を実現する。なお、ＲＡＭ１００３には、演算結果のデータが書き込まれ、特にＮＶＲＡＭには、電源オフ時にバックアップが必要なデータが保存される。
【００２８】
ここで、図１に戻り、画像投影装置１０００の構成について引き続き説明する。
無線受信部１０１０は、例えば、ＲＦＩＤ（Radio Frequency Identification）リーダで構成され、復号部１０２０に接続している。無線受信部１０１０は、読取部１０４０が読取対象とする原稿が有する送信部が送信する情報を無線を受信することで取得し、取得した情報を復号部１０２０へ出力する。
【００２９】
ここで図３を参照して、無線受信部１０１０が受信する情報を送信する送信部を有する原稿について説明する。図３は、送信部を有する原稿の一例を説明するための図である。
【００３０】
原稿ＳＣは、例えば、印刷用紙又は板等の印刷媒体で構成される。原稿ＳＣは、第１の画像ＩＭ１を表面に表す。第１の画像ＩＭ１は、４個の空欄ＢＫ１から４を有している。
【００３１】
また、第１の画像ＩＭは、人名を表す文字で構成されるテキストを表すテキスト領域と、テキスト領域又は空欄ＢＫ１から４を囲む線図で表されるイメージ領域とで構成される。
【００３２】
尚、本実施例において、原稿ＳＣが表示する第１の画像は表を表示し、第１の画像が表示する表は、人名と人名に支払われる賞与の額を記入する空欄ＢＫとを関連付けて同一行に表示する。また、賞与の額については機密性の高い情報であり、所定の者のみがその内容を知る権限を有するものとする。
【００３３】
また、原稿ＳＣは、例えば、ＲＦＩＤタグで構成される送信部ＩＴを有する。送信部ＩＴは、第１の画像ＩＭ１に合成する第２の画像を暗号化した情報を無線によって送信する。
【００３４】
ここで、本実施例において採用する暗号方式として、例えば、ＡＥＳ（Advanced Encryption Standard）又はＤＥＳ（Data Encryption Standard）等の共通鍵暗号方式、若しくはＲＳＡ(Rivest, Shamir, Adleman)、又は楕円曲線暗号方式を採用できる。
【００３５】
次に図４を参照して、原稿の有する送信部ＩＴが送信する第２の画像について説明する。図４は、送信部ＩＴが送信する第２の画像の一例について説明するための図である。
【００３６】
第２の画像ＩＭ２１から２４は、それぞれ数字で構成されるテキストを表す画像である。送信部ＩＴは、図４に示す第２の画像ＩＭ２１から２４をそれぞれ順に送信する。
【００３７】
尚、本実施例において、第２の画像ＩＭ２１から２４は、第１の画像が表示する人名で特定される人物に支払われる賞与の額を表す。
【００３８】
本実施例において、原稿ＳＣが表示する第１の画像は表を表示し、第１の画像が表示する表は人名と人名に支払われる賞与の額を記入する空欄ＢＫとを関連付けて同一行に表示し、第２の画像ＩＭ２１から２４は第１の画像が表示する人名で特定される人物に支払われる賞与の額を表すとして説明したが、これに限定される訳ではない。
【００３９】
ここで図１に戻り画像投影装置１０００の構成について引続き説明する。
復号部１０２０は、無線受信部１０１０及び取得部１０３０に接続している。復号部１０２０は、無線受信部１０１０から、暗号化された情報を取得し、取得した情報を、例えば、所定の鍵と復号アルゴリズムとを用いて復号する。次に、復号部１０２０は、復号した情報を取得部１０３０へ出力する。
【００４０】
取得部１０３０は、復号部１０２０及び合成部１０６０に接続している。取得部１０３０は、復号部１０２０が平文へと復号した情報を取得し、取得した情報から第２の画像ＩＭ２１から２４を取得する。
【００４１】
具体的には、例えば、取得した情報から所定のバイナリデータを検出し、検出した所定のバイナリデータで囲まれた情報を第２の画像ＩＭ２を表す電子情報であるとして取得する。
【００４２】
その後、取得部１０３０は、取得した第２の画像ＩＭ２１から２４を合成部１０６０へ出力する。
【００４３】
読取部１０４０は、図示を省略するが、光源制御部、受光センサ部、及び画像信号補正処理部で構成され、検出部１０５０と接続している。読取部１０４０は、原稿ＳＣが表す第１の画像ＩＭ１を光学的に読取り、読取った画像（以下単に、読取画像という）を検出部１０５０へ出力する。
【００４４】
ここで、光源制御部は原稿ＳＣ１へ光を照射する光源を制御する。受光センサ部は、例えば、ＣＭＯＳ（Complementary Metal-Oxide Semiconductor）イメージセンサ、又はＣＣＤ（Charge Coupled Device）イメージセンサで構成され、光源制御部により制御された光源が照射した光であって、原稿ＳＣに照射した光の反射光を受光する。次に、受光センサ部は、受光した反射光に基づいて電気信号を出力することで原稿情報をディジタル化する。
【００４５】
画像信号補正処理部は、受光センサ部の出力した信号を補正し、補正した信号を電子画像として検出部１０５０へ出力する。
【００４６】
検出部１０５０は、読取部１０４０及び合成部１０６０に接続している。検出部１０５０は、読取部１０４０から読取画像を取得し、取得した読取画像が有する第１の画像ＩＭ１から空欄を検出する。その後、検出部１０５０は、検出した空欄を表す位置座標を表す情報と読取画像とを合成部１０６０へ出力する。
【００４７】
ここで図５を参照して、空欄を表す位置座標について説明する。図５は、空欄を表す位置座標の一例について説明するための図である。
【００４８】
図５に示す読取画像ＩＭ３は、読取部１０４０が読取った画像である。読取画像ＩＭ３は、第１の画像ＩＭ１を有する。第１の画像ＩＭ１が有する空欄ＢＫ１から４は、読取画像ＩＭ３が有する頂点の１つを原点Ｏとし、走査方向及び副走査方法をＸ軸及びＹ軸とするＸＹ座標を用いて表される。つまり空欄ＢＫ１から４は、空欄ＢＫ１から４それぞれの頂点を表す座標によって表される。
【００４９】
ここで、検出部１０５０が空欄を検出する方法としては、例えば、第１の画像ＩＭ１に対してＴＩ（Text Image）分離を行うことで、文字で構成されるテキストを表すテキスト領域と線図等で構成される絵等を表すイメージ領域とに分離し、第１の画像ＩＭ１を構成するテキスト領域以外の部分領域であって、かつイメージ領域で囲まれた領域を空欄と判断する方法を採用できる。
【００５０】
更に、特定の色を表す画素が所定数以上連結している部分領域を空欄と判断方法を採用できる。尚、所定の色とは、白又は黒色を採用できる。
【００５１】
ここで図１に戻り、画像投影装置１０００の構成について引き続き説明を行う。
合成部１０６０は、取得部１０３０から第２の画像ＩＭ２１から２４を取得し、検出部１０５０から検出した空欄の位置を表す座標と読取画像ＩＭ３を取得する。次に、合成部１０６０は、取得した座標値に基づいて、読取画像ＩＭ３が有する第１の画像ＩＭ１における空欄ＢＫ１から４を特定する。
【００５２】
その後、合成部１０６０は、特定した空欄ＢＫ１から４に対して、第２の画像ＩＭ２１から２４を合成する。次に、合成部１０６０は、合成して得た合成画像を投影部１０７０へ出力する。
【００５３】
本実施例では、例えば、原点Ｏに近い（又は遠い）空欄ＢＫ１から４から順に、取得した順序が早い（又は遅い）第２の画像ＩＭ２１から２４を合成する構成を採用できる。
【００５４】
ここで図６を参照して、合成部１０６０が合成した合成画像について説明する。ここで図６は、合成部１０６０が合成した合成画像の一例を説明するための図である。
【００５５】
図６に示す合成画像ＩＭ４は、図５を参照して説明した読取画像ＩＭ３を構成する第１の画像ＩＭ１が有する空欄ＢＫ１に、図４を参照して説明した第２の画像ＩＭ２１を合成した画像である。また、空欄ＢＫ２から４と第２の画像ＩＭ２２から２４との関係は、空欄ＢＫ１と第２の画像ＩＭ２１との関係と同様であるので説明を省略する。
【００５６】
ここで図１に戻り引続き画像投影装置１０００の構成について説明する。
投影部１０７０は、図示を省略するが、例えば、光源ユニット、カラー液晶パネル、及び投影レンズで構成され、合成部１０６０に接続している。投影部１０７０は、合成部１０６０から合成画像を取得し、取得した合成画像を、例えば、スクリーン又は壁等に投影する。
【００５７】
光源ユニットは、例えば、ランプで構成され、カラー液晶パネルに対して投光する。カラー液晶パネルは、ＲＧＢ（Red Green Blue）カラーフィルタを有し、取得した合成画像に基づいて光源ユニットが投光した光を濾光する。投影レンズは、カラー液晶パネルを透過した光で表される画像を拡大又は縮小してスクリーン等に投影する。
【００５８】
ここで図７を参照して、画像投影装置１０００が合成画像を投影するために実行する画像投影処理について説明する。図７は、画像投影装置１０００が実行する画像投影処理の一例を表すフローチャートである。
【００５９】
先ず、画像投影装置１０００を構成する無線受信部１０１０が、原稿ＳＣが有する送信部ＩＴが無線送信した情報を受信する（ステップＳＴ０００１）。次に、画像投影装置１０００を構成する復号部１０２０が、無線受信部１０１０によって受信された情報を復号する（ステップＳＴ０００２）。
【００６０】
その後、画像投影装置１０００を構成する取得部１０３０が、復号部１０２０によって復号された情報から第２の画像ＩＭ２１からＩＭ２４を取得する（ステップＳＴ０００３）。次に、画像投影装置１０００を構成する読取部２０４０が、原稿ＳＣから第１の画像を光学的に読取る（ステップＳＴ０００４）。
【００６１】
その後、画像投影装置１０００を構成する検出部１０５０が、第１の画像ＩＭ１の空欄ＢＫ１から４を検出する（ステップＳＴ０００５）。次に、画像投影装置１０００を構成する合成部１０６０が第１の画像の空欄ＢＫ１から４と、取得部１０３０が取得した第２の画像ＩＭ２１から２４とを合成して合成画像を形成する（ステップＳＴ０００６）。
【００６２】
その後、画像投影装置１０００を構成する投影部１０７０が、合成画像を投影する（ステップＳＴ０００７）。次に、画像投影装置１０００は、画像投影処理の実行を終了する。
【００６３】
上記実施例では、第２の画像ＩＭ２１から２４は、数字で構成されるテキストを表す画像であるとして説明したが、これに限定される訳ではなく、例えば、線図で表される図面等を表すイメージ画像である構成を採用できる。
【００６４】
上記実施例では、画像投影装置１０００を使用する使用者が、第２の画像ＩＭ２１から２４を参照する権限があるか否かに関わらずに、第１の画像ＩＭ１と第２の画像ＩＭ２１から２４とを合成した画像を投影するとして説明した。
【００６５】
しかし、これに限定される訳ではなく、例えば、使用者を識別するユーザＩＤとパスワードとを含む認証情報を入力する入力手段と、入力手段が入力した認証情報に基づいて使用者の権限を認証する認証手段とを備え、認証手段が認証した使用者が第２の画像ＩＭ２１から２４を参照する権限があると判断した場合に、合成部１０６０が合成した合成画像を投影部１０７０が投影する構成を採用できる。
【００６６】
更に、認証情報は、パスワードとユーザＩＤとを含むとして説明したが、これに限定される訳ではなく、例えば、認証情報は指紋、眼球の奥の虹彩、静脈、音声等に関するバイオメトリクス認証情報を含む構成を採用できる。また、認証情報は、クレジットカードのカード番号と暗証番号とを含む構成を採用できる。
【００６７】
本実施例においては、復号部１０２０が復号手段に相当し、取得部１０３０が取得手段に相当し、読取部１０４０が読取手段に相当し、検出部１０５０が検出手段に相当し、合成部１０６０が合成手段に相当し、投影部１０７０が投影手段に相当する。
【００６８】
以下、本発明の第２の実施形態について説明する。
第２の実施例における画像投影装置は検出部を有さず、かつ取得部が位置情報を取得する点で実施例１と異なる。
【実施例２】
【００６９】
実施例２における画像投影装置の構成及び機能については、実施例１における画像投影装置１０００の構成及び機能と同様であるため、以下主に、相違点について説明する。
【００７０】
ここで図８を参照して、実施例２における画像投影装置の構成について説明する。図８は、実施例２における画像投影装置２０００の一構成例を表す図である。
【００７１】
画像投影装置２０００は、無線受信部２０１０、復号部２０２０、取得部２０３０、読取部２０４０、合成部２０６０及び投影部２０７０で構成される。
【００７２】
取得部２０３０は、復号部２０２０が復号した情報を取得し、取得した情報から第２の画像のみならず、第１の画像に第２の画像を合成する位置を表す位置情報を取得する点で実施例１と異なる。
【００７３】
尚、位置情報は、実施例１において図５を参照して説明した座標値を含む。取得部２０３０は、取得した第２の画像及び位置情報を合成部２０６０へ出力する。
【００７４】
読取部２０４０は、合成部２０６０に接続する点で実施例１と異なる。読取部２０４０は、読取った第１の画像を含む読取画像を合成部２０６０へ出力する。
【００７５】
合成部２０６０は、取得部２０３０、読取部２０４０、及び投影部２０７０に接続している。合成部２０６０は、読取部２０４０から第１の画像を含む読取画像を取得し、取得部２０３０から第２の画像及び位置情報を取得する。
【００７６】
次に、合成部２０６０は、取得した位置情報が表す第１の画像上の位置に、第２の画像を合成して合成画像を生成する。その後、合成部２０６０は、生成した合成画像を投影部２０７０へ出力する。
【００７７】
次に図９を参照して、実施例２において画像投影装置２０００が実行する画像投影処理について説明する。図９は、実施例２において画像投影装置２０００が実行する画像投影処理の一例を表すフローチャートである。
【００７８】
先ず、画像投影装置２０００は、ステップＳＴ０１０１からＳＴ０１０４の処理を実行する（ステップＳＴ０１０１からＳＴ０１０４）。ここで、ステップＳＴ０１０１からＳＴ０１０４の処理は、図７を参照して説明したステップＳＴ０００１からＳＴ０００４の処理と同様であるので説明を省略する。
【００７９】
ステップＳＴ０１０４の処理を実行した後に、画像投影装置２０００を構成する取得部２０３０は、復号部２０２０によって復号された情報から、位置情報を取得する（ステップＳＴ０１０５）。
【００８０】
次に、画像投影装置２０００は、ステップＳＴ０１０６及びステップＳＴ０１０７の処理を実行する（ステップＳＴ０１０６及びステップＳＴ０１０７）。ここで、ステップＳＴ０１０６及びステップＳＴ０１０７の処理は、図７を参照して説明したステップＳＴ０００６及びＳＴ０００７の処理と同様であるので説明を省略する。その後、画像投影装置２０００は、画像投影処理の実行を終了する。
【００８１】
本実施例においては、復号部２０２０が復号手段に相当し、取得部２０３０が取得手段に相当し、読取部２０４０が読取手段に相当し、合成部２０６０が合成手段に相当し、投影部２０７０が投影手段に相当する。
【００８２】
以下、本発明の第３の実施形態について説明する。
第３の実施例は、本発明に係る画像投影システムの一例である。
【実施例３】
【００８３】
ここで図１０を参照して、実施例３における画像投影システムの構成について説明する。図１０は、実施例３における画像投影システム３０の一構成例を表す図である。
【００８４】
画像投影システム３０は、通信網３００、無線受信装置３０１０、読取装置３０４０、投影装置３０７０、及び合成装置３０９０で構成される。
【００８５】
通信網３００は、例えば、ＬＡＮ（Local Area Network ）、ＷＡＮ（Wide Area Network）、ＭＡＮ（Metropolitan Area Network）、又は公衆回線網で構成され、無線受信装置３０１０、読取装置３０４０、投影装置３０７０、及び合成装置３０９０をそれぞれ通信可能に接続する。
【００８６】
無線受信装置３０１０は、図示を省略するが、例えば、ＲＦＩＤ（Radio Frequency Identification）リーダで構成される無線受信部と、例えば、ネットワーク・アダプタで構成される通信部とを有する。
【００８７】
無線受信装置３０１０が有する通信部は、無線受信部と通信網３００に接続している。通信部は、通信網３００を介して合成装置３０９０から実行命令を受信し、受信した命令を無線受信部へ出力する。
【００８８】
また、無線受信装置３０１０が有する通信部は、無線受信部が受信した情報を取得し、取得した情報を通信網３００を介して合成装置３０９０へ送信する。
【００８９】
無線受信部は、無線受信装置３０１０が有する通信部に接続している。無線受信部は、通信部から実行命令を取得し、取得した実行命令に従って、無線を受信する。
【００９０】
特に、無線受信部は、読取装置３０４０が読取対象とする原稿の有する送信部によって送信された情報を無線を受信する。その後、無線受信部は、受信した情報を通信部へ出力する。
【００９１】
尚、実施例３において、読取装置３０４０が読取対象とする原稿の構成は、実施例１で説明した原稿ＳＣの構成と同様であるので説明を省略する。
【００９２】
読取装置３０４０は、例えば、スキャナで構成され、通信網３００に接続している。読取装置３０４０は、図示を省略するが、図１を参照して説明した読取部１０４０と同様の構成を有する読取部と、例えば、ネットワーク・アダプタで構成される通信部とを有する。
【００９３】
読取装置３０４０が有する通信部は、読取部及び通信網３００に接続する。通信部は、通信網３００を介して合成装置３０９０から実行命令を受信し、受信した実行命令を読取部へ出力する。
【００９４】
また、読取装置３０４０が有する通信部は、読取部が読取った読取画像を取得し、取得した読取画像を通信網３００を介して合成装置３０９０へ送信する。
【００９５】
読取部は、読取装置３０４０が有する通信部に接続する。読取部は、通信部から実行命令を取得し、取得した実行命令に従って、原稿が表す第１の画像を光学的に読取る。その後、読取部は、読取った読取画像を通信部へ送信する。
【００９６】
投影装置３０７０は、例えば、ＣＲＴ（Cathode Ray Tube）プロジェクタ、液晶プロジェクタ、ＤＬＰ（Digital Light Processing）方式プロジェクタ、ＬＣＯＳ（Liquid Crystal On Silicon）プロジェクタ、又はＧＬＶ（Grating Light Valve）プロジェクタで構成され、通信網３００に接続している。
【００９７】
投影装置３０７０は、図１を参照して説明した投影部１０７０と同様の構成を有する投影部と、例えば、ネットワーク・アダプタで構成される通信部とを有する。
【００９８】
投影装置３０７０が有する通信部は、投影部及び通信網３００に接続する。通信部は、通信網３００を介して合成装置３０９０から実行命令及び合成画像を受信し、受信した実行命令及び合成画像を投影部へ出力する。
【００９９】
投影部は、投影装置３０７０が有する通信部に接続する。投影部は、通信部から実行命令を取得し、取得した実行命令に従って合成画像を、例えば、スクリーン又は壁等に投影する。
【０１００】
合成装置３０９０は、例えば、パーソナルコンピュータで構成される。合成装置３０９０は、通信網３００を介して、無線受信装置３０１０、読取装置３０４０、及び投影装置３０７０に接続している。
【０１０１】
合成装置３０９０は、後述する合成処理を実行することで、無線受信装置３０１０、読取装置３０４０、及び投影装置３０７０の実行を制御すると共に、無線受信装置３０１０から取得する第２の画像と、読取装置３０４０から取得する第１の画像とを合成する。
【０１０２】
ここで図１１を参照して、合成装置３０９０の構成について説明する。図１１は、合成装置３０９０の一構成例を説明するための図である。
【０１０３】
合成装置３０９０は、復号部３０９２、取得部３０９３、検出部３０９５、合成部３０９６、及び通信部３０９７で構成される。
【０１０４】
先ず、復号部３０９２、取得部３０９３、検出部３０９５、及び合成部３０９６について説明する前に、通信部３０９７について説明する。
【０１０５】
通信部３０９７は、例えば、ネットワーク・カードで構成され、通信網３００、復号部３０９２、検出部３０９５及び合成部３０９６に接続している。通信部３０９７は、無線受信装置３０１０、読取装置３０４０及び投影装置３０７０に対して実行命令を送信する。
【０１０６】
また、通信部３０９７は、無線受信装置３０１０が送信した情報、及び読取装置３０４０が送信した画像を受信する。次に、通信部３０９７は、受信した情報を復号部３０９２へ出力し、受信した画像を検出部３０９５へ出力する。
【０１０７】
その後、通信部３０９７は、合成部３０９６から合成画像を取得し、取得した合成画像を投影装置３０７０へ送信する。
【０１０８】
復号部３０９２、取得部３０９３、検出部３０９５、及び合成部３０９６の接続、構成及び機能は、実施例１で説明した復号部１０２０、取得部１０３０、検出部１０５０、及び合成部１０６０の接続、構成及び機能とほぼ同様であるので、以下相違点について主に説明する。
【０１０９】
復号部３０９２は、無線受信部１０１０に相当する部に接続せず、通信部３０９７に接続する点で実施例１で説明した復号部１０２０とは異なる。復号部３０９２は、通信部３０９７から無線受信装置３０１０が受信した情報を取得する。
【０１１０】
検出部３０９５は、読取部１０４０に相当する部に接続せず、通信部３０９７に接続する点で実施例１で説明した読取部１０４０とは異なる。検出部３０９５は、通信部３０９７から読取装置３０４０が読取った読取画像を取得する。
【０１１１】
合成部３０９６は、投影部１０７０に相当する部に接続せず、通信部３０９７に接続する点で実施例１で説明した読取部１０７０とは異なる。合成部３０９６は、合成画像を通信部３０９７へ出力する。
【０１１２】
ここで図１２を参照して、合成装置３０９０が実行する合成処理について説明する。図１２は、合成装置３０９０が実行する合成処理の一例を表すフローチャートである。
【０１１３】
先ず、合成装置３０９０を構成する通信部３０９７が無線受信装置３０１０へ実行命令を送信する（ステップＳＴ０２０１）。次に、合成装置３０９０を構成する通信部３０９７は、無線受信装置３０１０から暗号化された情報を受信する（ステップＳＴ０２０２）。
【０１１４】
その後、合成装置３０９０を構成する復号部３０９２は、通信部３０９７が受信した情報を復号する（ステップＳＴ０２０３）。次に、合成装置３０９０を構成する取得部３０９３は、復号部３０９２が復号した情報から第２の画像を取得する（ステップＳＴ０２０４）。
【０１１５】
次に、合成装置３０９０を構成する通信部３０９７は、読取装置３０４０へ実行命令を送信する（ステップＳＴ０２０５）。その後、合成装置３０９０を構成する通信部３０９７は、読取装置３０４０から第１の画像を受信する（ステップＳＴ０２０６）。
【０１１６】
次に、合成装置３０９０は、ステップＳＴ０２０７及びＳＴ０２０８の処理を実行する（ステップＳＴ０２０７及びＳＴ０２０８）。尚、ステップＳＴ０２０７及びＳＴ０２０８の処理は、図７を参照して説明したステップＳＴ０００５及びＳＴ０００６の処理と同様であるので説明を省略する。
【０１１７】
ステップＳＴ０２０８の処理を実行した後に、合成装置３０９０を構成する通信部３０９７は、投影装置３０７０へステップＳＴ０２０８で生成した合成画像を送信する（ステップＳＴ０２０９）。
【０１１８】
次に、合成装置３０９０を構成する通信部３０９７は、投影装置３０７０へ実行命令を送信する（ステップＳＴ０２１０）。その後、合成装置３０９０は、合成処理の実行を終了する。
【０１１９】
本実施例においては、読取装置３０４０を構成する読取部が読取手段に相当し、投影装置３０７０が有する投影部が投影手段に相当し、復号部３０９２が復号手段に相当し、取得部３０９３が取得手段に相当し、検出部３０９５が検出手段に相当し、合成部３０９６が合成手段に相当する。
【０１２０】
以下、本発明の第４の実施形態について説明する。第４の実施例は、無線受信装置を有しない点で実施例３と異なる。
【実施例４】
【０１２１】
ここで図１３を参照して、実施例４における画像投影システムの構成について説明する。図１３は、実施例４における画像投影システム４０の一構成例を表す図である。
【０１２２】
画像投影システム４０は、通信網４００、読取装置４０４０、投影装置４０７０、及び合成装置４０９０で構成される。通信網４００の構成、接続、及び機能は、実施例３で説明した通信網３００の構成、接続、及び機能とほぼ同様であるので説明を省略する。
【０１２３】
ここで図１４を参照して、実施例４における読取装置の構成について説明する。図１４は、実施例４における読取装置の一構成について説明するための図である。
【０１２４】
図１４に示す読取装置４０４０は、例えば、スキャナで構成され、通信網４００に接続している。読取装置４０４０は、無線受信部４０４１、読取部４０４４、及び通信部４０８０で構成される。
【０１２５】
無線受信部４０４１、及び読取部４０４４の構成、接続、及び機能は、実施例１で説明した無線受信部１０１０、及び読取装置１０４０と同様であるので、以下相違点について主に説明する。
【０１２６】
無線受信部４０４１は、通信部４０８０に接続する。無線受信部４０４１は、通信部４０８０から実行命令を取得し、取得した命令に従って情報を受信する。その後、無線受信部４０４１は、受信した情報を通信部４０８０へ出力する。
【０１２７】
読取部４０４４は、通信部４０８０に接続する。読取部４０４４は、通信部４０８０から実行命令を取得し、取得した命令に従って原稿を読取る。その後、読取部４０４４は、読取った画像を通信部４０８０へ出力する。
【０１２８】
通信部４０８０は、例えば、ネットワーク・アダプタで構成され、無線受信部４０４１、読取部４０４４、及び通信網４００に接続している。通信部４０８０は、通信網４００を介して合成装置４０９０から実行命令を受信し、取得した命令を無線受信部４０４１及び読取部４０４４へ出力する。
【０１２９】
その後、通信部４０８０は、無線受信部４０４１から暗号化された情報を取得し、かつ読取部４０４４から読取画像を取得する。次に、通信部４０８０は、取得した情報及び読取画像を通信網４００を介して合成装置４０９０へ送信する。
【０１３０】
ここで図１３に戻り画像投影システム４０の構成について引続き説明を行う。
投影装置４０７０及び合成装置４０９０の接続、構成、及び機能は、実施例３で説明した投影装置３０７０及び合成装置３０９０の接続、構成、及び機能とほぼ同様であるので、以下相違点について主に説明する。
【０１３１】
ここで図１５を参照して、実施例４において合成装置４０９０が実行する合成処理について説明する。図１５は、実施例４において合成装置４０９０が実行する合成処理の一例を表すフローチャートである。
【０１３２】
先ず、合成装置４０９０を構成する通信部が読取装置４０４０へ実行命令を送信する（ステップＳＴ０３０１）。次に、合成装置４０９０は、読取装置４０４０から暗号化された情報を受信する（ステップＳＴ０３０２）。
【０１３３】
その後、合成装置４０９０は、ステップＳＴ０３０３からＳＴ０３０９の処理を実行する（ステップＳＴ０３０３からＳＴ０３０９）。その後、合成装置４０９０は、合成処理の実行を終了する。
【０１３４】
尚、ステップＳＴ０３０３からＳＴ０３０９の処理は、図１２を参照して説明したステップＳＴ０２０３からＳＴ０２０４、及びステップＳＴ０２０６からＳＴ０２１０の処理と同様の処理であるため、説明を省略する。
【０１３５】
本実施例においては、読取装置４０４０が有する読取部４０４４が読取手段に相当し、投影装置４０７０が有する投影部が投影手段に相当し、合成装置４０９０が有する復号部が復号手段に相当し、取得部が取得手段に相当し、検出部が検出手段に相当し、合成部が合成手段に相当する。
【０１３６】
以下、本発明の第５の実施形態について説明する。第５の実施例は、合成装置を有しない点で実施例４と異なる。
【実施例５】
【０１３７】
ここで図１６を参照して、実施例５における画像投影システムの構成について説明する。図１６は、実施例５における画像投影システム５０の一構成例を表す図である。
【０１３８】
画像投影システム５０は、通信網５００、読取装置５０４０、及び投影装置５０７０で構成される。通信網５００の構成、接続、及び機能は、実施例４で説明した通信網４００の構成、接続、及び機能とほぼ同様であるので説明を省略する。
【０１３９】
読取装置５０４０は、例えば、スキャナで構成され、通信網５００に接続している。読取装置５０４０は、後述する読取処理を実行することで、原稿から第１の画像を読取り、かつ原稿の有する送信部が送信する無線を受信して得た情報から第２の画像を取得し、取得した第２の画像と読取った第１の画像とを合成した合成画像を投影装置５０７０へ送信する。
【０１４０】
ここで図１７を参照して、実施例５における読取装置の構成について説明する。ここで図１７を参照して、実施例５における読取装置の一構成について説明するための図である。
【０１４１】
図１７に示す読取装置５０４０は、無線受信部５０４１、復号部５０４２、取得部５０４３、読取部５０４４、検出部５０４５、合成部５０４６、及び通信部５０４８で構成される。
【０１４２】
無線受信部５０４１、復号部５０４２、取得部５０４３、読取部５０４４、検出部５０４５、及び合成部５０４６の構成、接続、及び機能は、実施例１で説明した無線受信部１０１０、復号部１０２０、取得部１０３０、読取部１０４０、検出部１０５０、及び合成部１０６０の構成、接続、及び機能とほぼ同様であるので、以下相違点について主に説明する。
【０１４３】
合成部５０４６は、投影部１０７０に相当する部に接続せず、通信部５０４８に接続する。合成部５０４６は、合成画像を通信部５０４８に出力する。
【０１４４】
通信部５０４８は、例えば、ネットワーク・アダプタで構成され、合成部５０４６及び通信網５００に接続している。通信部５０４８は、合成部５０４６から合成画像を取得し、取得した合成画像と実行命令とを通信網５００を介して投影装置５０７０へ送信する。
【０１４５】
ここで図１８を参照して、読取装置５０４０が実行する読取処理について説明する。図１８は、読取装置５０４０が実行する読取処理の一例を表すフローチャートである。
【０１４６】
先ず、読取装置５０４０はステップＳＴ０４０１からＳＴ０４０６の処理を実行する（ステップＳＴ０４０１からＳＴ０４０６）。尚、ステップＳＴ０４０１からＳＴ０４０６の処理は、図７を参照して説明したステップＳＴ０００１からＳＴ０００６の処理とほぼ同様であるので説明を省略する。
【０１４７】
ステップＳＴＳＴ０４０６の処理を実行した後に、読取装置５０４０を構成する通信部５０４８は、投影装置５０７０へ合成画像と実行命令とを送信する（ステップＳＴ０４０７）。その後、読取装置５０４０は、読取処理の実行を終了する。
【０１４８】
ここで図１６に戻り画像投影システム５０の構成について引続き説明を行う。
投影装置４０７０の接続、構成、及び機能は、実施例４で説明した投影装置４０７０の接続、構成、及び機能とほぼ同様であるので、以下相違点について説明する。
【０１４９】
投影装置４０７０は、通信網５００を介して読取装置５０４０から実行命令と合成画像とを受信する。その後、投影装置４０７０は、実行命令に従って、合成画像を投影する。
【０１５０】
本実施例においては、復号部５０４２が復号手段に相当し、取得部５０４３が取得手段に相当し、読取部５０４４が読取手段に相当し、検出部５０４５が検出手段に相当し、合成部５０４６が合成手段に相当し、投影装置５０７０が有する投影部が投影手段に相当する。
【０１５１】
以下、本発明の第６の実施形態について説明する。第６の実施例は、合成装置を有しない点で実施例４と異なる。
【実施例６】
【０１５２】
ここで図１９を参照して、実施例６における画像投影システムの構成について説明する。図１９は、実施例６における画像投影システム６０の一構成例を表す図である。
【０１５３】
画像投影システム６０は、通信網６００、読取装置６０４０、及び投影装置６０７０で構成される。通信網６００の構成、接続、及び機能は、実施例４で説明した通信網４００の構成、接続、及び機能とほぼ同様であるので説明を省略する。
【０１５４】
読取装置６０４０の構成、接続、及び機能は、実施例４で説明した読取装置４０４０の構成、接続、及び機能とほぼ同様であるので、以下相違点について主に説明を行う。
【０１５５】
読取装置６０４０は、読取った画像及び受信した情報を、通信網５００を介して投影装置５０４０へ送信する。
【０１５６】
投影装置６０７０は、後述する投影処理を実行することで、読取装置６０４０が読取った第１の画像及び受信した情報を取得し、取得した情報から得た第２の画像と第１の画像とを合成した合成画像を投影する。
【０１５７】
ここで図２０を参照して、実施例６における投影装置の構成について説明する。図２０は、実施例６における投影装置の一構成について説明するための図である。
【０１５８】
図２０に示す投影装置６０７０は、復号部６０７２、取得部６０７３、検出部６０７５、合成部６０７６、投影部６０７７、及び通信部６０７８で構成される。
【０１５９】
投影装置６０７０は、例えば、ＣＲＴ（Cathode Ray Tube）プロジェクタ、液晶プロジェクタ、ＤＬＰ（Digital Light Processing）方式プロジェクタ、ＬＣＯＳ（Liquid Crystal On Silicon）プロジェクタ、又はＧＬＶ（Grating Light Valve）プロジェクタで構成され、通信網６００に接続している。
【０１６０】
投影装置６０７０は、復号部６０７２、取得部６０７３、検出部６０７５、合成部６０７６、及び投影部６０７７の構成、接続、及び機能は、実施例１で説明した復号部１０２０、取得部１０３０、検出部１０５０、合成部１０６０、及び投影部１０７０の構成、接続、及び機能とほぼ同様であるので、以下相違点について主に説明する。
【０１６１】
復号部６０７２は、無線受信部１０１０に相当する部に接続しないが通信部６０７８に接続する。復号部６０７２は、通信部６０７８から暗号化された情報を取得する。
【０１６２】
検出部６０７５は、読取部１０４０に相当する部に接続しないが通信部６０７８に接続する。検出部６０７５は、通信部６０７８から読取画像を取得する。
【０１６３】
通信部６０７８は、例えば、ネットワーク・アダプタで構成され、通信網６００、復号部６０７２及び検出部６０７５に接続している。通信部６０４８は、通信網６００を介して読取装置６０４０から暗号化された情報及び読取画像を受信する。通信部６０７８は、受信した情報を復号部６０７２へ出力し、かつ読取画像を検出部６０７５に出力する。
【０１６４】
ここで図２１を参照して、投影装置６０７０が実行する投影処理について説明する。図２１は、投影装置６０７０が実行する投影処理の一例を表すフローチャートである。
【０１６５】
先ず、投影装置６０７０は、ステップＳＴ０５０１からＳＴ０５０７の処理を実行する（ステップＳＴ０５０１からＳＴ０５０７）。尚、ステップＳＴ０５０１からＳＴ０５０７の処理は、図１５を参照して説明したステップＳＴ０３０１からＳＴ０３０７の処理とほぼ同様であるので説明を省略する。
【０１６６】
ステップＳＴ０５０７を実行した後に、投影装置６０７０を構成する投影部６０７７は、ステップＳＴ０５０７で合成した合成画像を、例えば、スクリーン又は壁等に投影する（ステップＳＴ０５０８）。その後、投影装置６０７０は、投影処理の実行を終了する。
【０１６７】
本実施例においては、読取装置６０４０が有する読取部が読取手段に相当し、復号部６０７２が復号手段に相当し、取得部６０７３が取得手段に相当し、検出部６０７５が検出手段に相当し、合成部６０７６が合成手段に相当し、投影部６０７７が投影手段に相当する。
【０１６８】
画像投影装置１０００、は、機能的には、演算部１００１がＲＯＭ１００２、ＲＡＭ１００３、外部記憶部１００４の少なくともひとつに格納されたプログラムを実行することにより実現できる。また、このプログラムは、磁気ディスクや光ディスク、半導体メモリ、その他の記録媒体に格納して配布したり、ネットワークを介して配信したりすることにより提供できる。
【０１６９】
以上本発明の好ましい実施例について詳述したが、本発明は係る特定の実施例に限定されるものではなく、特許請求の範囲に記載された本発明の要旨の範囲内において、種々の変形、変更が可能である。
【０１７０】
上記実施形態では、外部記憶装置はハードディスク（Hard Disk）で構成されるとして説明したが、これに限定されるわけではなく、例えば、フレキシブルディスク、ＣＤ−ＲＯＭ（Compact Disc Read Only Memory）、ＤＶＤ−ＲＯＭ（Digital Versatile Disk Read Only Memory）、ＤＶＤ−ＲＡＭ（Digital Versatile Disk Random Access Memory）、ＭＯ（magneto-optic）、及び、フラッシュメモリ（flash memory）で構成される実施形式を採用できる。
【図面の簡単な説明】
【０１７１】
【図１】実施例１における画像投影装置の一実施形態を示す構成図である。
【図２】画像投影装置のハードウェア構成の一例について説明する
【図３】送信部を有する原稿の一例を説明するための図である。
【図４】送信部が送信する第２の画像の一例について説明するための図である。
【図５】空欄を表す位置座標の一例について説明するための図である。
【図６】合成部が合成した合成画像の一例を説明するための図である。
【図７】実施例１において画像投影装置が実行する画像投影処理の一例を表すフローチャートである。
【図８】実施例２における画像投影装置の一構成例を表す図である。
【図９】実施例２において画像投影装置が実行する画像投影処理の一例を表すフローチャートである。
【図１０】実施例３における画像投影システムの一構成例を表す図である。
【図１１】合成装置の一構成例を説明するための図である。
【図１２】実施例４において合成装置が実行する合成処理の一例を表すフローチャートである。
【図１３】実施例４における画像投影システムの一構成例を表す図である。
【図１４】実施例４における読取装置の一構成について説明するための図である。
【図１５】実施例４において合成装置が実行する合成処理の一例を表すフローチャートである。
【図１６】実施例５における画像投影システムの一構成例を表す図である。
【図１７】実施例５における読取装置の一構成について説明するための図である。
【図１８】読取装置が実行する読取処理の一例を表すフローチャートである。
【図１９】実施例６における画像投影システムの一構成例を表す図である。
【図２０】実施例６における投影装置の一構成について説明するための図である。
【図２１】投影装置が実行する投影処理の一例を表すフローチャートである。
【符号の説明】
【０１７２】
１０００…画像投影装置            １００１…演算部                  
１００２…ＲＯＭ                  １００３…ＲＡＭ                  
１００４…外部記憶部              １００５…バス                    
１０１０…無線受信部              １０２０…復号部（復号手段）      
１０３０…取得部（取得手段）      １０４０…読取部（読取手段）      
１０５０…検出部（検出手段）      １０６０…合成部（合成手段）      
１０７０…投影部（投影手段）      ２０００…画像投影装置            
２０１０…無線受信部              ２０２０…復号部（復号手段）      
２０３０…取得部（取得手段）      ２０４０…読取部（読取手段）      
２０６０…合成部（合成手段）      ２０７０…投影部（投影手段）      
３０…画像投影システム            ３００…通信網                    
３０１０…無線受信装置            ３０４０…読取装置（読取手段）    
３０７０…投影装置（投影手段）    ３０９０…合成装置                
３０９２…復号部（復号手段）      ３０９３…取得部（取得手段）      
３０９５…検出部（検出手段）      ３０９６…合成部（合成手段）      
３０９７…通信部                  ４０…画像投影システム            
４００…通信網                    ４０４０…読取装置                
４０４１…無線受信部              ４０４４…読取部（読取手段）      
４０４８…通信部                  ４０７０…投影装置                
４０９０…合成装置                ５０…画像投影システム            
５００…通信網                    ５０４０…読取装置                
５０４１…無線受信部              ５０４２…復号部（復号手段）      
５０４３…取得部（取得手段）      ５０４４…読取部（読取手段）      
５０４５…検出部（検出手段）      ５０４６…合成部（合成手段）      
５０４８…通信部                  ５０７０…投影装置                
６０…画像投影システム            ６００…通信網                    
６０２０…読取装置                ６０７０…投影装置                
６０７２…復号部（復号手段）      ６０７３…取得部（取得手段）      
６０７５…検出部（検出手段）      ６０７６…合成部（合成手段）      
６０７７…投影部（投影手段）      ６０７８…通信部                  
ＢＫ１〜４…空欄                  ＩＭ１…第１の画像                
ＩＭ２１〜２４…第２の画像        ＩＭ３…読取画像                  
ＩＭ４…合成画像                  ＩＴ…ＲＦＩＤタグ                
ＳＣ…原稿                        
【図１】
2009010780.tif 000003
【図２】
2009010780.tif 000004
【図３】
2009010780.tif 000005
【図４】
2009010780.tif 000006
【図５】
2009010780.tif 000007
【図６】
2009010780.tif 000008
【図７】
2009010780.tif 000009
【図８】
2009010780.tif 000010
【図９】
2009010780.tif 000011
【図１０】
2009010780.tif 000012
【図１１】
2009010780.tif 000013
【図１２】
2009010780.tif 000014
【図１３】
2009010780.tif 000015
【図１４】
2009010780.tif 000016
【図１５】
2009010780.tif 000017
【図１６】
2009010780.tif 000018
【図１７】
2009010780.tif 000019
【図１８】
2009010780.tif 000020
【図１９】
2009010780.tif 000021
【図２０】
2009010780.tif 000022
【図２１】
2009010780.tif 000023